(57)【特許請求の範囲】
【請求項１】
横向きにして腰部の左右両側に配置される一対の浅い円形のケース本体（３）と、各ケース本体（３）の開口部に左右の横軸を中心として回転可能に設けた蓋（４）とを有する補機ケース（２）を設け、前記蓋（４）とケース本体（３）とのうち、一方に爪車（７）と渦巻きばね（６）とを略同軸に配置して固定するとともに渦巻きばね（６）の外周端部（６ａ）を接線方向かつ上方に延長させて前記補機ケース（２）から上方に露出させ、他方に前記爪車（７）に係脱可能なストッパー装置（１２）と線材保持部（３ａ）とを設け、腰部の左右両側から上方に延びる起立部（２０ａ）と該起立部（２０ａ）の上端から前方に向かって湾曲する左右幅が調節可能な胸受け部（２０ｂ）とを有する上体支持アーム（２０）と、前記腰部の左右両側から下方に延びる垂下部（２５ａ）と該垂下部（２５ａ）の下端部に設けられて大腿部の前面側に当接可能な大腿当て具（２６）とを有する左右一対の大腿支持アーム（２５）とを設け、前記上体支持アーム（２０）の起立部（２０ａ）の下部を前記渦巻きばね（６）の外周端部（６ａ）に沿わせるとともに、該外周端部（６ａ）に上下摺動可能に連結し、前記大腿支持アーム（２５）の垂下部（２５ａ）の上部を前記線材保持部（３ａ）に上下摺動可能に係止し、前記蓋（４）とケース本体（３）とのうちの一方にベルト係止具（９）を左右の横軸を中心として回動可能に設け、該ベルト係止具（９）に可撓性のベルト（１１）を設けたことを特徴とする腰の屈伸補助具。
【請求項２】
大腿支持アーム（２５）の下端部に大腿部の背面側を包囲するバンド（２７）を設けたことを特徴とする請求項１記載の腰の屈伸補助具。
【発明の詳細な説明】
【０００１】
【発明の属する技術分野】
本発明は、屈伸時における腰の負担を軽減する腰の屈伸補助具に関するものである。
【０００２】
【従来の技術】
従来の技術として、先に本出願人が出願した特許第２７３６６１９号公報に記載されたものがあった。即ち、剛性を比較的高くした強度部材により、腰の背面側の半周部を包囲する円弧状の腰当て具を設け、該腰当て具に腰部の背面側から両脇を経て胸部の両側に向かって延びるばね線材製の上体支持アームを上下動可能に設け、該上体支持アームの上端に胸部に当接する胸当て具を回動可能に設け、前記腰当て具の左右両端部に左右方向の軸心を中心として巻かれた渦巻きばねの外周端部を一体的に連結し、各渦巻きばねの内周端部に爪車を略同軸に固定し、各爪車に浅い容器型のケース本体を回転自在に嵌合させるとともに該ケース本体に爪車の爪に係脱可能のストッパーを設け、前記各ケース本体に下方に突出する大腿支持アームを上下動可能に設けるとともに、該大腿支持アームの下端に大腿の前部側に係止する大腿当て具を回動可能に設け、前記腰当て具の両側に腹部を巻回するベルトを設けるようにした腰の屈伸補助具があった。
【０００３】
【発明が解決しようとする課題】
上記従来のものは、屈伸時に背骨に圧縮力を加えることなく腰の負担を軽減させる。という当初の目的を達成することはできた。しかしながら、上記従来のものは強度部材により腰の背面側の半周部を包囲する円弧状の腰当て具を設け、該腰当て具に上体支持アーム、大腿支持アーム、及びこれら両者を連結する中継用のケース本体等を取り付けるようにしていたので、構造が複雑となって製作費が高価になったり、大型となって取り付けが難しくなるとともに、取り付けた際に衣服の形状が崩れたりする等の不具合があった。本発明は、上記不具合を解消した新規な腰の屈伸補助具を得ることを目的とする。
【０００４】
【課題を解決するための手段】
本発明は、上記目的を達成するために以下の如く構成したものである。即ち、請求項１に係る発明は、横向きにして腰部の左右両側に配置される一対の浅い円形のケース本体と、各ケース本体の開口部に左右の横軸を中心として回転可能に設けた蓋とを有する補機ケースを設け、前記蓋とケース本体とのうち、一方に爪車と渦巻きばねとを略同軸に配置して固定するとともに渦巻きばねの外周端部を接線方向かつ上方に延長させて前記補機ケースから上方に露出させ、他方に前記爪車に係脱可能なストッパー装置と線材保持部とを設け、腰部の左右両側から上方に延びる起立部と該起立部の上端から前方に向かって湾曲する左右幅が調節可能な胸受け部とを有する上体支持アームと、前記腰部の左右両側から下方に延びる垂下部と該垂下部の下端部に設けられて大腿部の前面側に当接可能な大腿当て具とを有する左右一対の大腿支持アームとを設け、前記上体支持アームの起立部の下部を前記渦巻きばねの外周端部に沿わせるとともに、該外周端部に上下摺動可能に連結し、前記大腿支持アームの垂下部の上部を前記線材保持部に上下摺動可能に係止し、前記蓋とケース本体とのうちの一方にベルト係止具を左右の横軸を中心として回動可能に設け、該ベルト係止具に可撓性のベルトを設ける構成にしたものである。
請求項２に係る発明は、前記大腿支持アームの下端部に大腿部の背面側を包囲するバンドを設けたものである。
【０００５】
【発明の実施の形態】
以下本発明の実施例を図面に基いて説明する。図面において、図１は本発明の実施例を示す正面図、図２はその右側面図、図３は前屈作動状態の側面図、図４は図１のIV-IV 線による要部拡大断面図である。図１において、１は腰の屈伸補助具、２はその補機ケースである。この補機ケース２は着用者３０の腰部の左右に配置されるもので、直径約７５ｍｍ、深さ約２０ｍｍとなる浅い円形のケース本体３と、該ケース本体３の開口部に回転可能に取り付けられる蓋４とを有する。
【０００６】
上記蓋４には、図４に示すように、その中心部に支持軸５を内方に向けて突出固定し、該支持軸５に渦巻きばね６を、次いで爪車７を嵌合させ、これらを共に支持軸５に回転不能に固定する。上記渦巻きばね６は線径が約４．５ｍｍのばね線材により２〜３重巻きに形成され、その外周側の端部６ａは蓋４の後部側に形成した窓孔４ａから外部上方に向けて露出させる。また、上記蓋４にブラケット８を上方に向けて突出固定し、該ブラケット８にベルト係止具９を支持ピン１０を介して回動可能に連結する。該ベルト係止具９の前後両端にはベルト挿通孔９ａ，９ｂが形成され、該ベルト挿通孔９ａ，９ｂに帯状のベルト１１を挿通する。このベルト１１は着用者３０の胴部に巻回するもので、図１に示すように、両端部１１ａ、１１ａを後部側に向けるとともに、該両端部１１ａ、１１ａに互いに係脱可能な面ファスナ１１ｂ，１１ｂを有する。
【０００７】
上記蓋４は支持軸５を介してケース本体３に回動可能に連結される。即ち、支持軸５の先端部に雄ねじを形成し、この雄ねじ部をケース本体３の軸心部に挿通して外側に露出させ、この露出部にナット５ａ（図１）を螺合させることにより、上記蓋４をケース本体３に回動可能に連結する。上記ケース本体３に前述した爪車７に係脱可能なストッパー装置１２を取り付ける。このストッパー装置１２は、図４に示すようになっている。即ち、ケース本体３内の外周部に円弧状のストッパー１３を前後方向に配置し、その前後中心部にて第１支点ピン１４により上記ケース本体３の底板に揺動可能に取り付ける。上記ストッパー１３はその後端部（図４において右端部）に爪車７の爪７ａと係合する係合爪１３ａを有し、その前端部に外周方向に突出する突起１３ｂを有する。
【０００８】
上記ストッパー１３は予圧縮されたコイルばね１５により図４において右方向に回動付勢されてその係合爪１３ａが爪車７の爪７ａに係合するように移動付勢されている。また、ケース本体３の前部側に谷型に屈曲したレバー１６を前後方向に配置し、その前後中心部にて第２支点ピン１７により上記ケース本体３の底板に揺動可能に取り付ける。上記レバー１６はその前部をケース本体３から前方に突出させ、その後端部を前述したストッパー１３の突起１３ｂに外周側から当接させる。これにより上記レバー１６を図４において矢印Ａ方向に回動させた際に、上記ストッパー１３を図４において左回転させてその係合爪１３ａを爪車７の爪７ａから離脱させるようにし、蓋４がケース本体３に対して図４において左回転できるようにする。
【０００９】
前述した渦巻きばね６の外周側の端部６ａに上体支持アーム２０を連結し、また、ケース本体３に大腿支持アーム２５を連結する。上記上体支持アーム２０は線径が約４．５ｍｍのばね線材により形成され、図１、図２に示すように、上方に延びる起立部２０ａ、及び該起立部２０ａの上端から前方に向かって湾曲する胸受け部２０ｂを有し、起立部２０ａは上記端部６ａに第１スライド継手２１，２１を介して上下摺動可能に連結し、胸受け部２０ｂは左右中間部で分割するとともに、該分割部を第２スライド継手２２，２２を介して互いに左右摺動可能に連結する。また、上記分割部に左右に長い長方形状の胸当て２３を回動可能に取り付ける。この胸当て２３はプラスチック板により形成されている。図２において、２４は左右一対のゴム製の緊張紐であり、左右の第１スライド継手２１の上部側とベルト１１の背面側の左右とに連結し、歩行時に上記胸当て２３が胸部３０ｃから不用意に離れるのを防止するためのものである。
【００１０】
上記大腿支持アーム２５は、線径が約４．５ｍｍのばね線材により形成され、ケース本体３に形成した上下２組の孔（線材保持部）３ａ（図４）に上下摺動可能に嵌合保持される。即ち、図２、図４に示すように、下方に延びる垂下部２５ａの上部を逆Ｕ形に反転屈曲させて上記ケース本体３に上下摺動可能に嵌合させ、該垂下部２５ａの下端に後方かつ左右内方に向けて湾曲する平面視円弧状の逃げ部２５ｂを形成し、該逃げ部２５ｂの内端部を上方に屈曲させて係止部２５ｃを形成する。また、上記垂下部２５ａの下端と係止部２５ｃとに大腿部３０ｄの前面側に当接する大腿当て具２６を渡架する。この大腿当て具２６は、軟質性のプラスチックシートにより左右に長い長方形状に形成し、その両端部を反転屈曲させて筒状の嵌合部２６ａを形成し、一方の嵌合部２６ａを上記垂下部２５ａの下端に嵌合させ、他方の嵌合部２６ａを上記係止部２５ｃに着脱可能に嵌合係止させてなる。図２において、２７は大腿部３０ｄの背面側に当てるゴム製のバンドであり、大腿部３０ｄの背面側に巻回してその両端部を上記垂下部２５ａと係止部２５ｃとに係止することにより、歩行時に上記逃げ部２５ｂが大腿部３０ｄから不用意に離れるのを防止するためのものである。
【００１１】
次に上記実施例の使用態様について説明する。まず、上体支持アーム２０の胸当て２３を胸部３０ｃの所定位置に当接させるとともに、左右の補機ケース２，２を腰部３０ａの左右所定位置に位置決めし、この状態でベルト１１を腹部３０ｅに巻いて所定の強さで締めて上記補機ケース２を腰部３０の左右に固定する。この場合、上記上体支持アーム２０の上下方向の高さ及び左右幅は第１、第２スライド継手２１，２２により、着用者３０の体格及び姿勢に追随して自動的に調節され、また、大腿支持アーム２５は孔（線材保持部）３ａにより着用者３０の体格及び姿勢に追随してケース本体３に対して自動的に上下動調節されることになる。
【００１２】
次いで渦巻きばね６に初期加重を付与する操作をする。即ち、レバー１６を解除方向（図４において矢印Ａ方向）に操作してストッパー１３を爪車７の爪７ａから離脱させ、大腿支持アーム２５を後方に所定量回動させた後、上記ストッパー１３を復帰させて上記爪７ａに係合させる。次いで、上記大腿支持アーム２５を渦巻きばね６の反力に抗して前方に回動させ、その逃げ部２５ｂを大腿部３０ｄの背面側に嵌合させ、大腿当て具２６を大腿部３０ｄの前部側に巻回してその端部を係止部２５ｃに嵌合係止し、バンド２７を大腿部の背面側に巻回してその両端部を上記垂下部２５ａと係止部２５ｃとに係止する。
【００１３】
この状態で着用者３０が前屈してその胸部３０ｃが大腿部３０ｄ方向に接近すると、図３に示すように、胸当て２３を介して上体支持アーム２０が補機ケース２を中心として反時計方向に回動され、一方、大腿支持アーム２５は大腿部３０ｄにより補機ケース２を中心として時計方向に回動され、これにより渦巻きばね６が弾性変形することになる。この結果、上記上体支持アーム２０および大腿支持アーム２５は、渦巻きばね６の反力により、矢印（ア）、（イ）の如く互いに離間する方向に回動付勢され、前屈による上半身の負荷を主として渦巻きばね６が受持ち、着用者３０の腰の負担を軽減させることになる。
【００１４】
この場合、上体支持アーム２０は、その上部が両脇部３０ｂに沿って上方に延びた後、胸部３０ｃ側に延び、胸当て２３を介して着用者３０が胸部３０ｃを前方側から押すので、上記上体支持アーム２０は着用者３０の屈伸時に該着用者３０の背骨を伸ばす方向に作用することになる。このため、腰痛者にも屈伸時における腰の負担を軽減させることになる。また、左右の補機ケース２，２を可撓性のあるベルト１１で腰部３０ｂに保持するようにし、該補機ケース２，２に上体支持アーム２０および大腿支持アーム２５を取り付けるようにしたので、腰部３０ｃ、及び腹部３０ａの前後面に剛性部材が存在しなくなり、小型になって身体の自由度が高くなるとともに取り付けが容易になる。また、取り付けた際に衣服の形状が崩れ難くなる。
【００１５】
また、ストッパー装置１２を解除操作してストッパー１３を爪７ａから離脱させると、大腿支持アーム２５が前方に回動可能となり、歩行が拘束されなくなるとともに、バンド２７によって大腿支持アーム２５の逃げ部２５ｂが大腿部３０ｄから不用意に離間しなくなり、歩行が円滑になる。なお、上記上体支持アーム２０はケース本体３側に、上記大腿支持アーム２５は蓋４側に取り付けるようにしてもよい。
【００１６】
【発明の効果】
以上の説明から明らかな如く、本発明は着用者の背骨に伸び作用を付与しながら、屈伸時における着用者の腰の負担を軽減することができる。しかも、腹部及び腰部の前後部に剛性部材が存在しないので、小型かつ構造簡素となって安価になるとともに取り付けが容易になる。また、着用した際に身体と一体感を有するとともに衣服の形状が損なわれなくなる。
【図面の簡単な説明】
【図１】本発明の実施例を示す正面図である。
【図２】図１の右側面図である。
【図３】前屈作動状態の側面図である。
【図４】図１のIV-IV 線による要部拡大断面図である。
【符号の説明】
１    腰の屈伸補助具
２    補機ケース
３    ケース本体
３ａ  孔（線材保持部）
４    蓋
４ａ  窓孔
５    支持軸
５ａ  ナット
６    渦巻きばね
６ａ  外周端部
７    爪車
７ａ  爪
８    ブラケット
９    ベルト係止具
９ａ，９ｂ    ベルト挿通孔
１０    支点ピン
１１    ベルト
１１ａ  両端部
１１ｂ  面ファスナ
１２    ストッパー装置
１３    ストッパー
１３ａ  係合爪
１３ｂ  突起
１４    第１支点ピン
１５    コイルばね
１６    レバー
１７    第２支点ピン
２０    上体支持アーム
２０ａ  起立部
２０ｂ  胸受け部
２１    第１スライド継手
２２    第２スライド継手
２３    胸当て
２４    緊張紐
２５    大腿支持アーム
２５ａ  垂下部
２５ｂ  逃げ部
２５ｃ  係止部
２６    大腿当て具
２６ａ  嵌合部
２７    バンド
３０    着用者
３０ａ  腰部
３０ｂ  脇部
３０ｃ  胸部
３０ｄ  大腿部
３０ｅ  腹部
【図１】
0003972119.tif 000002
【図２】
0003972119.tif 000003
【図３】
0003972119.tif 000004
【図４】
0003972119.tif 000005